(57)【要約】【課題】  テレビジョン放送の番組中に表示されるテキスト情報を、初期投資を必要とせず、且つ省資源化を図りつつユーザに提供することができるテレビジョン受像機を提供する。【解決手段】  テレビ放送信号の映像データの中の、外部から指定された１枚の映像データを画像データをキャプチャするキャプチャ画像処理部１４と、キャプチャ画像処理部１４でキャプチャされた画像データから文字データ抽出処理により文字データを抽出し、この抽出した文字データに対して文字認識処理を行いうことによりテキストデータを生成するテキストデータ生成部１７と、テキストデータ生成部１７で生成されたテキストデータを電子メールデータの形態に変換して予め設定されている受信端末宛てにインターネット４０を介して送信することによりユーザに提供する電子メール送信部１９とを備える。【選択図】  図１
2007259020.tif 000002
【特許請求の範囲】
【請求項１】
インターネットへの接続機能を有するテレビジョン受像機において、
テレビジョン放送信号を受信して得た映像データを表示する表示部と、
前記表示部に表示された映像データの中の、外部から指定された１枚の映像データを画像データとしてキャプチャするキャプチャ画像処理部と、
前記キャプチャ画像処理部でキャプチャされた画像データから文字データ抽出処理により文字データを抽出し、この抽出した文字データに対して文字認識処理を行うことによりテキストデータを生成するテキストデータ生成部と、
前記テキストデータ生成部で生成された前記テキストデータを電子メールデータの形態に変換し、この変換した電子メールデータを、あらかじめ設定されている受信端末宛てに前記インターネットを介して送信する電子メール送信部と
を備えることを特徴とするテレビジョン受像機。
【発明の詳細な説明】
【技術分野】
【０００１】
本発明は、テレビジョン放送を受信し、表示するテレビジョン受像機に関する。
【背景技術】
【０００２】
テレビジョン放送の番組の中で、懸賞の応募条件や宛先、料理のレシピ、募金の振込先、観覧希望の宛先、番組で紹介されたお店の情報など、記録しておく必要のあるテキスト情報が表示されることがある。
【０００３】
これらの情報は短時間しか表示されないことが多く、ユーザがこれらの情報のメモをとることは困難である。
【０００４】
そのため、これらのテキスト情報を画面で表示する他にユーザに提供する技術として、特許文献１に記載の受信装置を利用するものがある。
【０００５】
特許文献１の受信装置は印刷装置に接続されており、テレビジョン放送の映像データ中の画像データを記憶し、この記憶された画像データを印刷装置に供給するものである。
【０００６】
この受信装置を利用することにより、テレビジョン番組で記録が必要なテキスト情報が表示されたときにこの表示された画像データを印刷してユーザに提供することができ、ユーザは短時間しか表示されない情報を印刷物として取得することができる。
【特許文献１】特開２００２−１９１００２号公報
【発明の開示】
【発明が解決しようとする課題】
【０００７】
しかし、特許文献１を利用してテレビジョン番組中の画像データを印刷するためには印刷装置および印刷用の紙などが必要であり、初期投資が必要であるという問題があった。
【０００８】
また、必要な情報が少量であっても印刷すると紙やインクが消費され、省資源化に逆行するという問題があった。
【０００９】
本発明は、上記事情に鑑みてなされたものであり、テレビジョン放送の番組中に表示されるテキスト情報を、初期投資を必要とせず、且つ省資源化を図りつつユーザに提供することができるテレビジョン受像機を提供することを目的とする。
【課題を解決するための手段】
【００１０】
上記目的を達成するための本発明のテレビジョン受像機は、インターネットへの接続機能を有するものであり、テレビジョン放送信号を受信して得た映像データを表示する表示部（１３）と、表示部（１３）に表示された映像データの中の、外部から指定された１枚の映像データを画像データとしてキャプチャするキャプチャ画像処理部（１４）と、キャプチャ画像処理部（１４）でキャプチャされた画像データから文字データ抽出処理により文字データを抽出し、この抽出した文字データに対して文字認識処理を行うことによりテキストデータを生成するテキストデータ生成部（１７）と、テキストデータ生成部（１７）で生成されたテキストデータを電子メールデータの形態に変換し、この変換した電子メールデータを、あらかじめ設定されている受信端末宛てにインターネットを介して送信する電子メール送信部（１９）とを備えることを特徴とする。
【発明の効果】
【００１１】
本発明のテレビジョン受像機によれば、テレビジョン放送の番組中に表示されるテキスト情報を、初期投資を必要とせず、且つ省資源化を図りつつユーザに提供することができる。
【発明を実施するための最良の形態】
【００１２】
《一実施形態》
〈一実施形態によるテレビジョン受像機の構成〉
本発明の一実施形態によるテレビジョン受像機１０の構成を、図１を参照して説明する。
【００１３】
本実施形態によるテレビジョン受像機１０は、放送局２０から送信されるテレビジョン放送を受信して表示する。
【００１４】
また、本実施形態によるテレビジョン受像機１０は、インターネット４０への接続機能を有しており、このインターネット４０を介して電子メール受信装置としての携帯端末５０に接続が可能である。
【００１５】
本実施形態によるテレビジョン受像機１０は、テレビジョン放送受信部１１と、信号処理部１２と、表示部１３と、キャプチャ画像処理部１４と、キャプチャ画像記録部１５と、辞書データ記録部１６と、テキストデータ生成部１７と、テキストデータ記録部１８と、電子メール送信部１９とを有する。
【００１６】
テレビジョン放送受信部１１は、放送局２０から送信されるテレビジョン放送信号を受信する。
【００１７】
信号処理部１２は、テレビジョン放送受信部１１で受信されたテレビジョン放送信号を復調およびデコードして映像データを表示部１３に送出する。
【００１８】
表示部１３は、信号処理部１２から送出された映像データ、およびテキストデータ記録部１８に記録されたテキストデータや処理中の操作に関する情報などを表示する。
【００１９】
キャプチャ画像処理部１４は、表示部１３に表示された映像データの中からユーザにより指定されたテキスト情報を含む１枚の映像データを画像データとしてキャプチャする。
【００２０】
キャプチャ画像記録部１５は、キャプチャされた画像データをキャプチャ画像データとして記録する。
【００２１】
辞書データ記録部１６は、文字認証の処理で参照するための文字または単語等のテンプレートとなる辞書データを記録する。本実施形態においては、テレビジョン放送信号に番組毎の辞書データが含まれており、辞書データ記録部１６はこの辞書データを取得して記録するものとする。
【００２２】
テキストデータ生成部１７は、キャプチャ画像記録部１５に記録されたキャプチャ画像データを２値化することによりテキスト情報を取得し、辞書データ記録部１６に記録された辞書データを参照して文字認証を行うことによりテキストデータを生成する。
【００２３】
テキストデータ記録部１８は、テキストデータ生成部１７で生成されたテキストデータを記録する。
【００２４】
電子メール送信部１９は、テキストデータ記録部１８に記録されたテキストデータを本文とした電子メールを生成し、インターネット４０を介して携帯端末５０に送信する。
【００２５】
また、テレビジョン受像機１０は、ユーザの操作によりリモコン３０から送信される操作指示を受信する。リモコン３０は、図２に示すように、表示部１３に表示されている画像をキャプチャする静止画ボタン３１と、各種操作内容を表示させるためのメニューボタン３２と、表示された操作内容の中から操作を選択するための十字キー３３と、選択された操作内容を決定するための決定ボタン３４などを有する。
【００２６】
〈一実施形態によるテレビジョン受像機の動作〉
本発明の一実施形態によるテレビジョン受像機１０の動作を図３〜６を参照して説明する。
【００２７】
まず、放送局２０から送信されるテレビジョン放送信号が、テレビジョン放送受信部１１で受信される（Ｓ１）。
【００２８】
受信されたテレビジョン放送信号は、信号処理部１２で映像データと音声データとに復調およびデコードされ（Ｓ２）、映像データを基に映像が表示部１３で表示される。
【００２９】
また、受信されたテレビジョン放送信号に含まれる辞書データが、辞書データ記録部１６に送出される。
【００３０】
辞書データ記録部１６では、テレビジョン放送信号から辞書データが取得されると、辞書データの保存またはアップデートが行われる（Ｓ３）。
【００３１】
表示部１３に表示されているテレビジョン放送の映像の中で、テキスト情報を含む画像が表示されているときにユーザによりリモコン３０の静止画ボタン３１が押下されると、この画像のキャプチャ要求がリモコン３０からテレビジョン受像機１０に送信される（Ｓ４）。
【００３２】
ここでは、テキスト情報としてプレゼントの応募先が表示されているときに、この表示されている画像のキャプチャ要求がリモコン３０から送信されたものとする。
【００３３】
送信されたキャプチャ要求はテレビジョン受像機１０の信号処理部１２で受信され、トリガによりキャプチャモードに切り替えられる。キャプチャモードに切り替えられることにより、図４に示すように、キャプチャ要求された画像の中に「ＯＫ」ボタン１３１および「戻る」ボタン１３２が付加され、静止画として表示部１３に表示される。「ＯＫ」ボタン１３１はテキストデータの生成を要求するためのボタンであり、「戻る」ボタン１３２はテキストデータを生成せずにキャプチャモードを終了するためのボタンである。このとき、音声データは静止せずに出力され続ける。
【００３４】
ここで、「ＯＫ」ボタン１３１または「戻る」ボタン１３２のいずれかが押下されることにより、静止画からテレビジョン放送信号による映像の表示に復帰する。
【００３５】
ユーザのリモコン３０操作により、キャプチャ要求された画像中の「ＯＫ」ボタン１３１が押下されると、この画像の画像データがキャプチャ画像処理部１４でキャプチャされる。キャプチャされた画像データは、キャプチャ画像データとしてキャプチャ画像記録部１５に記録される（Ｓ５）。
【００３６】
次に、テキストデータ生成部１７では、従来より用いられている様々な文字データ抽出手法によって、キャプチャ画像記録部１５に記録されたキャプチャ画像データが２値化されて文字情報を構成する文字データが抽出され、辞書データ記録部１６に記録された辞書データが参照されることにより（Ｓ６）、テキストデータが生成される（Ｓ７）。なお、文字データの抽出手法の詳細説明は、本実施形態とは関連が薄いので省略する。
【００３７】
テキストデータの生成処理について、図５を参照して説明する。
【００３８】
まず、キャプチャ画像データが２値化されて（Ｓ１１）、全体の文字数が計数される（Ｓ１２）。
【００３９】
次に、２値化されたキャプチャ画像データから、計数された文字データが１文字ずつに分離され抽出される（Ｓ１３）。
【００４０】
次に、文字認証を行うために、抽出された文字データの大きさが調整され正規化される（Ｓ１４）。
【００４１】
次に、辞書データ記録部１６に記録された辞書データが参照され、正規化された文字データの文字認証が行われて（Ｓ１５）保存される（Ｓ１６）。
【００４２】
次に、ステップＳ１３で計数された文字データの文字認証処理が全て終了されたか否かが判定され（Ｓ１７）、文字認証処理が終了するまでステップＳ１３からステップＳ１６の処理が繰り返される（Ｓ１７の「NO」）。
【００４３】
すべての文字認証処理が終了すると（Ｓ１７の「YES」）、保存された各文字から構成されるテキストデータが生成される（Ｓ１８）。
【００４４】
以上でテキストデータの生成処理の説明を終了する。
【００４５】
図３に戻り、テキストデータ生成部１７でテキストデータが生成されると、このテキストデータがテキストデータ記録部１８に記録される（Ｓ８）。
【００４６】
次に、このテキストデータを本文とした電子メールが生成され（Ｓ９）、電子メール送信部１９からインターネット４０を介して携帯端末５０に送信される（Ｓ１０）。
【００４７】
電子メールの送信先は、テレビジョン受像機１０において予め設定しておく。電子メールの送信先の設定処理について図６および図７を参照して説明する。
【００４８】
まず、ユーザの操作により電子メールの送信先の設定が要求されると、図６のような受信端末設定画面が表示部１３に表示される。
【００４９】
受信端末設定画面には、端末タイプを選択するための端末タイプ入力エリア１３３と、メールアドレスを入力するためのメールアドレス入力エリア１３４と、入力したメールアドレスの設定を実行するための「ＯＫ」ボタン１３５と、受信端末設定画面を終了するための「戻る」ボタン１３６とを有する。メールアドレス入力エリア１３４は、ユーザ名入力エリア１３４ａとドメイン名入力エリア１３４ｂとを有する。
【００５０】
本実施形態においては、端末タイプとしてabcd社の携帯端末が選択されたものとする。
【００５１】
端末タイプ入力エリア１３３で端末タイプが選択されると、選択された端末タイプである「abcd社の携帯端末」のドメイン名「@abcd.ne.jp」がメールアドレス入力エリア１３４のドメイン名入力エリア１３４ｂに表示される。
【００５２】
メールアドレスのユーザ名は、文字入力画面を用いて入力される。この文字入力画面は、ユーザ名入力エリア１３４ａが押下されることにより、図７に示すようにポップアップ画面１３７として表示される。
【００５３】
ユーザ名およびドメイン名が入力され、「ＯＫ」ボタン１３５が押下されると、入力されたメールアドレスが電子メールの送信先として設定される。
【００５４】
以上でメールアドレスの送信先の設定処理に関する説明を終了する。
【００５５】
ユーザは、携帯端末５０で電子メールを受信することにより、テレビジョン放送で提供されたテキスト情報を取得することができる。
【００５６】
以上の実施形態によれば、テレビジョン放送の番組中に表示されたテキスト情報が電子メールでユーザに送信されるため、ユーザは初期投資を必要とせず、且つ省資源化を図りつつこのテキスト情報を取得することができる。
【００５７】
本実施形態において、番組毎にテレビジョン放送信号から辞書データを取得して辞書データ記録部に記録したが、これには限定されず、予めテレビジョン受像機に辞書データを設定しておいたり、または定期的にテレビジョン放送から辞書データを取得したりしてもよい。
【００５８】
また、キャプチャ画像は、ユーザに提供された後はキャプチャ画像記録部１５に長期にわたって保存する必要はなく、次にキャプチャが行われたときに上書きされるようにしてもよい。
【００５９】
このように構成することにより、キャプチャ画像記録部１５には大きなメモリを必要とせず、低コストで実現することが可能になる。
【００６０】
また、本実施形態において、メール送信先の設定は受信端末設定画面の端末タイプ入力エリアおよびメールアドレス入力エリアを用いて行ったがこれには限定されず、メールアドレスを特定できる方法であれば他の設定方法でもよい。
【００６１】
また、本実施形態において、電子メール受信装置として携帯端末を用いたがこれには限定されず、電子メールを受信する機能を有していれば汎用のパーソナルコンピュータ等を用いてもよい。
【図面の簡単な説明】
【００６２】
【図１】本発明の一実施形態によるテレビジョン受像機の構成を示すブロック図である。
【図２】本発明の一実施形態によるテレビジョン受像機の操作を用いるリモコンを示す外観図である。
【図３】本発明の一実施形態によるテレビジョン受像機の動作を示すフローチャートである。
【図４】本発明の一実施形態によるテレビジョン受像機でキャプチャ要求された画像が表示されている状態を示す画面表示図である。
【図５】本発明の一実施形態によるテレビジョン受像機で用いられるテキストデータの生成処理の動作を示すフローチャートである。
【図６】本発明の一実施形態によるテレビジョン受像機で用いられる受信端末設定画面が表示されている状態を示す画面表示図である。
【図７】本発明の一実施形態によるテレビジョン受像機で用いられる受信端末設定画面上に文字入力画面がポップアップで表示されている状態を示す画面表示図である。
【符号の説明】
【００６３】
１０…テレビジョン受像機
１１…テレビジョン放送受信部
１２…信号処理部
１３…表示部
１４…キャプチャ画像処理部
１５…キャプチャ画像記録部
１６…辞書データ記録部
１７…テキストデータ生成部
１８…テキストデータ記録部
１９…電子メール送信部
２０…放送局
３０…リモコン
３１…静止画ボタン
３２…メニューボタン
３３…十字キー
３４…決定ボタン
４０…インターネット
５０…携帯端末
１３１…「ＯＫ」ボタン
１３２…「戻る」ボタン
１３３…端末タイプ入力エリア
１３４…メールアドレス入力エリア
１３４ａ…ユーザ名入力エリア
１３４ｂ…ドメイン名入力エリア
１３５…「ＯＫ」ボタン
１３６…「戻る」ボタン
１３７…ポップアップ画面
【図１】
2007259020.tif 000003
【図２】
2007259020.tif 000004
【図３】
2007259020.tif 000005
【図４】
2007259020.tif 000006
【図５】
2007259020.tif 000007
【図６】
2007259020.tif 000008
【図７】
2007259020.tif 000009